(57)【要約】【課題】本考案の目的は、ヒケの発生を防止すると共に、ボスの根元部分の強度を十分高めることにある。  【解決手段】ＣＲＴを取り付けるフロントキャビネットと、前記フロントキャビネットの後部に接続するリアキャビネットを備えるテレビジョンキャビネットであって、前記ＣＲＴを取り付けるために前記フロントキャビネット四隅の内壁に後方に向かって略水平に延びるＣＲＴ取付け用ボスを複数設け、前記ＣＲＴ取付け用ボスはその近傍に設けられた２つ以上のポストと板状片部によって連結し、前記ＣＲＴ取付け用ボスと前記ポストの根元近傍に於いて前記内壁表面に複数のリブを格子状に形成し、前記リブによって形成される格子の形状を略矩形に形成し、前記格子３つ分を連ねた長さと前記ＣＲＴ取付け用ボスの直径が略等しくなるようにしたことを特徴とするテレビジョンキャビネット。【選択図】図２
0003106027.tif 000002
【実用新案登録請求の範囲】
【請求項１】
ＣＲＴを取り付けるフロントキャビネットと、前記フロントキャビネットの後部に接続するリアキャビネットを備えるテレビジョンキャビネットであって、
前記ＣＲＴを取り付けるために前記フロントキャビネット四隅の内壁に後方に向かって略水平に延びるＣＲＴ取付け用ボスを複数設け、前記ＣＲＴ取付け用ボスはその近傍に設けられた２つ以上のポストと板状片部によって連結し、前記ＣＲＴ取付け用ボスと前記ポストの根元近傍に於いて前記内壁表面に複数のリブを格子状に形成し、前記リブによって形成される格子の形状を略矩形に形成し、前記格子３つ分を連ねた長さと前記ＣＲＴ取付け用ボスの直径が略等しくなるようにしたことを特徴とするテレビジョンキャビネット。
【請求項２】
ＣＲＴを取り付けるフロントキャビネットと、前記フロントキャビネットの後部に接続するリアキャビネットを備えるテレビジョンキャビネットであって、
前記ＣＲＴを取り付けるために前記フロントキャビネット四隅の内壁に後方に向かって略水平に延びるＣＲＴ取付け用ボスを複数設け、前記ＣＲＴ取付け用ボスの根元近傍に於いて前記内壁表面に複数のリブを格子状に形成したことを特徴とするテレビジョンキャビネット。
【請求項３】
前記ＣＲＴ取付け用ボスの根元近傍に於いて、前記複数のリブによって形成される格子の形状が略矩形であることを特徴とする請求項２に記載のテレビジョンキャビネット。
【請求項４】
前記ＣＲＴ取付け用ボスの直径は、前記複数のリブによって形成される格子３つ分が連なる長さに略等しいことを特徴とする請求項２乃至３の何れか一つに記載のテレビジョンキャビネット。
【請求項５】
前記ＣＲＴ取付け用ボスの根元近傍に於いて、前記複数のリブによって形成される格子の形状が三角形であることを特徴とする請求項２に記載のテレビジョンキャビネット。
【請求項６】
前記ＣＲＴ取付け用ボスの根元近傍に於いて、前記複数のリブによって形成される格子の形状が六角形であることを特徴とする請求項２に記載のテレビジョンキャビネット。
【請求項７】
前記ＣＲＴ取付け用ボスの根元近傍に於いて、前記複数のリブによって形成される格子の形状が皺状であることを特徴とする請求項２に記載のテレビジョンキャビネット。
【請求項８】
前記ＣＲＴ取付け用ボスは、前記ＣＲＴ取付け用ボスの近傍に設けられたポストと、板状片部によって連結されており、前記ポストとの根元近傍に於いても前記複数のリブを格子状に形成することを特徴とする請求項２乃至７の何れか一つに記載のテレビジョンキャビネット。
【請求項９】
前記ＣＲＴ取付け用ボスの近傍に設けられた前記ポストの数が２つ以上であることを特徴とする請求項８に記載のテレビジョンキャビネット。
【考案の詳細な説明】
【技術分野】
【０００１】
本考案は、ＣＲＴ取付け用ボスの根元部の補強構造に関する。
【背景技術】
【０００２】
テレビジョン受信機のＣＲＴは、該受信機のフロントキャビネットの前板裏面に形成された複数のボスに取り付けられる。こうしたＣＲＴ取付け用ボスは、フロントキャビネットの前板から後方に延ばされて形成されるが、ＣＲＴが重量物であるので、ボスの根元部分の強度が弱ければ、ボスが折れてしまう虞がある。ボスの根元部分の強度を高めるためには、根元部分の肉厚を厚くする必要があるのだが、肉厚を単純に厚くしただけでは、フロントキャビネットを樹脂成型する際に前板表面にヒケが発生し、外観に悪影響を与えて不良品として扱われる虞がある。したがって、この問題の解決の為には、ヒケの発生を防ぐと同時にボスの根元部分の強度を高める構造が必要であり、これに関連した種々の発明及び考案が提案されている。
【０００３】
特許文献１では、テレビジョンキャビネットのフロントキャビネット内面に、リアキャビネット取付け用ボス、保持リブを一体に形成し、この保持リブとＣＲＴガイドリブを連結している。また、リブの根元部分ではキャビネット外面のヒケ防止の為に厚さを薄くし、根元から離れた部分は強度向上のために厚さを厚くした構造を採用している。
【０００４】
特許文献２では、テレビジョンキャビネットの前部キャビネットの内面に形成されたＣＲＴ取付け用リブの周囲に、３つの筒状ポストを板状片部で連結した三角形状の構造体を形成し、該三角形状の構造体に補強用リブを設けている。これにより、前部キャビネットに大きな荷重や衝撃が加わっても、ＣＲＴ取付け用ボスの周辺での合成樹脂の白化を防ぐことが出来る。
【０００５】
特許文献３では、樹脂成形品に於けるボス部の根元付近の肉厚を調節することで樹脂流動を発生させて、ボス部に流れる充填材の配向と、ボス部に隣接する底面に流れる充填材の配向とが直交することを防止する。具体的には、ボスの根元付近を薄くすることで収縮が小さくなるので、ボス部の根元でヒケの発生を防ぐことができ、ボス部の根元付近の肉厚を厚くすることで、ボスの突起部に於けるウェルドの発生を防ぐことができ、強度向上が可能となる。
【０００６】
特許文献４では、光硬化樹脂製成形型で発生する、樹脂の硬化に伴うヒケや反りを防止する構成を扱っている。該成形型の箱型枠体は、低耐熱性の樹脂によって肉薄に形成され、その裏面には格子状に多数の補強リブが一体に形成され、バッキング材が充填されている。この構造により、光硬化樹脂の硬化後のヒケや反りの発生を防止し、強度を向上させている。
【０００７】
特許文献５では、肉厚部のヒケを内部発泡により防止する合成樹脂成形品を扱っている。該内部発泡は、補強突条を複数設けて金型のキャビティに発泡剤を混合した溶解原料を射出充填することによって発生する。この発泡により体積膨張が起こり、冷却に伴う原料の収縮を補正するので、ヒケの発生を防止することが出来る。
【０００８】
特許文献６では、スタック金型中で射出成型した２つのパネルを結合することによって、パネルの強度を向上させている。これらパネルの夫々には、格子状のリブが形成されており、リブの交点、或いは途中にボスが形成されている。
【特許文献１】特開平６−３１１４５９号公報（第２頁，第１図）
【特許文献２】実用新案登録第３０７３８４２号公報（段落００１７乃至００２０，第１図）
【特許文献３】特開２００４−５８４１３号公報（段落００１２乃至００１８，第１図及び第２図）
【特許文献４】特開平１０−１２８７５４号公報（段落００１８乃至００１９、第１図及び第２図）
【特許文献５】特開平１１−１９２６２７号公報（段落００１２）
【特許文献６】特開平９−１０４０８１号公報（第４頁、第３Ａ図及び第４Ａ図）
【考案の開示】
【考案が解決しようとする課題】
【０００９】
上述の通り、特許文献１では、保持リブとボスを接続することで、ボスがキャビネットに保持される強度は改善されているものの、ボスの根元部分の肉厚を厚くした訳ではないので、強度の改善が十分ではない。特許文献２では、三角形の構造体と補強用リブの使用により、ボスの根元部分の白化を防止することが可能であるが、ボスの根元部分の肉厚を厚くした構成ではないので、強度の改善が不十分である。特許文献３では、ボス部の根元部分の肉厚を調節することで強度を改善しているものの、根元部分の肉厚を厚くした際にはキャビネットの表面にヒケが発生する可能性があり、逆に根元部分の肉厚を薄くした場合には、ヒケの発生を防止することが出来たとしても、強度を向上させることは出来ない。特許文献４では、格子状の補強リブを形成し、バッキング材を充填することにより、肉薄に形成された箱型枠体のヒケや反りの発生防止と強度の改善をしているが、このような構造ではＣＲＴ取付け用ボスの根元近傍の強度改善には適用出来ない。特許文献５においても、発泡により肉厚部のヒケを防止しているが、肉厚を厚くしていないので、強度の改善が十分であるとは言えない。そして、特許文献６では、パネルに格子状のリブを形成し、ボスがリブの交差点、或いは途中に形成しているが、ボスの根元部分の肉厚を厚くしている訳ではないので、強度が十分向上しているとは言えない。
【００１０】
したがって、本考案の目的は、ヒケの発生を防止すると共に、ボスの根元部分の強度を十分高めることにある。
【課題を解決するための手段】
【００１１】
第１考案に係るテレビジョンキャビネットは、ＣＲＴを取り付けるフロントキャビネットと、フロントキャビネットの後部に接続するリアキャビネットを備えるテレビジョンキャビネットであって、ＣＲＴを取り付けるためにフロントキャビネット四隅の内壁に後方に向かって略水平に延びるＣＲＴ取付け用ボスを複数設け、このＣＲＴ取付け用ボスはその近傍に設けられた２つ以上のポストと板状片部によって連結し、ＣＲＴ取付け用ボスとポストの根元近傍に於いて内壁表面に複数のリブを格子状に形成し、リブにより形成される格子の形状を略矩形に形成し、格子３つ分を連ねた長さと前記ＣＲＴ取付け用ボスの直径が略等しくなるようにしたことを特徴とする。
【００１２】
このテレビジョンキャビネットによれば、ＣＲＴ取付け用ボスがその近傍に備えられた２つ以上のポストと板状片部によって接続されることにより、ＣＲＴ取付け用ボスがフロントキャビネットに保持される強度を高めることが出来る。また、ＣＲＴ取付け用ボス及び該ボスに連結されたポストの根元近傍に於いて、内壁表面に複数のリブを格子状に形成し、この格子の形状は略矩形であり、この格子３つ分を連ねた長さと前記ＣＲＴ取付け用ボスの直径が略等しくなるようにしているので、単純にＣＲＴ取付け用ボス及びポストの根元近傍の肉厚を厚くした場合に比して、格子を形成している部分の樹脂の体積が小さくなり、フロントキャビネットの外観に於けるヒケの発生を防ぐことができ、また、この構造により、実質的に肉厚を厚くすることが出来るので、ＣＲＴ取付け用ボス及びポストの根元近傍の強度を高めることが可能となる。
【００１３】
第２考案に係るテレビジョンキャビネットは、ＣＲＴを取り付けるフロントキャビネッ
トと、フロントキャビネットの後部に接続するリアキャビネットを備えるテレビジョンキャビネットであって、ＣＲＴを取り付けるためにフロントキャビネットの内壁に後方に向かって略水平に延びるＣＲＴ取付け用ボスを複数設け、ＣＲＴ取付け用ボスの根元近傍に於いて内壁表面にリブを格子状に形成したことを特徴とする。
【００１４】
このテレビジョンキャビネットによれば、ＣＲＴ取付け用ボスの根元近傍の内壁表面に格子状のリブを形成することによって、単純に肉厚を厚くする場合に比べて、格子を形成する部分の樹脂の体積を少なくすることができ、フロントキャビネットの外観にヒケを発生させることなく、実質的に肉厚を厚くすることが出来るので、ボスの根元近傍の強度を高めることが出来る。
【００１５】
第３考案に係るテレビジョンキャビネットは、第２考案に係るテレビジョンキャビネットに於いて、ＣＲＴ取付け用ボスの根元近傍に於いて、複数のリブによって形成される格子の形状が略矩形であることを特徴とする。
【００１６】
このテレビジョンキャビネットによれば、ＣＲＴ取付け用ボスの根元近傍に於いて、複数のリブによって形成される格子形状を略矩形としたので、単純に肉厚を厚くする場合に比べて、略矩形の格子を形成する部分の樹脂の体積が確実に少なくなるので、フロントキャビネットの外観に於けるヒケの発生を防止することができ、肉厚を厚くすることが可能となるので、ボス根元部分及びその近傍の強度を確実に高めることが出来る。
【００１７】
第４考案に係るテレビジョンキャビネットは、第２乃至第３考案の何れかに係るテレビジョンキャビネットに於いて、ＣＲＴ取付け用ボスの直径が、複数のリブによって形成される格子３つ分が連なる長さに略等しいことを特徴とする。
【００１８】
このテレビジョンキャビネットによれば、ＣＲＴ取付け用ボスの直径と、複数のリブによって形成される格子３つ分が連なる長さとが略等しいことによって、ＣＲＴ取付け用ボスの根元及びその近傍の強度とフロントキャビネット外観におけるヒケの発生防止を両立することが可能となる。
【００１９】
第５考案に係るテレビジョンキャビネットは、第２考案に係るテレビジョンキャビネットに於いて、ＣＲＴ取付け用ボスの根元近傍に於いて、複数のリブによって形成される格子の形状が三角形であることを特徴とする。
【００２０】
このテレビジョンキャビネットによれば、複数のリブによって形成される格子の形状を三角形にすることによっても、ＣＲＴ取付け用ボスの根元部分及びその近傍の強度を高めることができ、フロントキャビネットの外観に於けるヒケの発生を防止することが出来る。
【００２１】
第６考案に係るテレビジョンキャビネットは、第２考案に係るテレビジョンキャビネットに於いて、ＣＲＴ取付け用ボスの根元近傍に於いて、複数のリブによって形成される格子の形状が六角形であることを特徴とする。
【００２２】
このテレビジョンキャビネットによれば、複数のリブによって形成される格子形状を六角形にすることによっても、ＣＲＴ取付け用ボスの根元部分及びその近傍の強度を高めることができ、フロントキャビネットの外観に於けるヒケの発生を防止することが出来る。
【００２３】
第７考案に係るテレビジョンキャビネットは、第２考案に係るテレビジョンキャビネットに於いて、ＣＲＴ取付け用ボスの根元近傍に於いて、前記複数のリブによって形成される格子の形状が皺状であることを特徴とする。
【００２４】
このテレビジョンキャビネットによれば、複数のリブによって形成される格子の形状を皺状にすることによっても、ＣＲＴ取付け用ボスの根元部分及びその近傍の強度を高めることができ、フロントキャビネットの外観に於けるヒケの発生を防止することが出来る。
【００２５】
第８考案に係るテレビジョンキャビネットは、第２乃至第７考案に係るテレビジョンキャビネットに於いて、ＣＲＴ取付け用ボスが、その近傍に設けられたポストと、板状片部によって連結されることを特徴とする。
【００２６】
このテレビジョンキャビネットによれば、ＣＲＴ取付け用ボスが、板状片部によって、その近傍に設けられたポストと連結されることにより、ＣＲＴ取付け用ボスがフロントキャビネットに保持される強度を高めることが出来る。また、ポストの根元部分及びその近傍の強度を高め、フロントキャビネット外観のヒケを防止することが出来る。
【００２７】
第９考案に係るテレビジョンキャビネットは、第８考案に係るテレビジョンキャビネットに於いて、ＣＲＴ取付け用ボスの近傍に設けられたポストの数が２つ以上であることを特徴とする。
【００２８】
このテレビジョンキャビネットによれば、ＣＲＴ取付け用ボスが、板状片部によって、その近傍に設けられた２つ以上のポストと連結されることにより、ＣＲＴ取付け用ボスがフロントキャビネットに保持される強度を十分に高めることが出来る。
【考案の効果】
【００２９】
本考案によれば、ヒケの発生を防ぐと共にボスの根元部分の強度を高める構造を提供することが出来る。
【考案を実施するための最良の形態】
【００３０】
（１）第１実施形態
〔全体構成〕
本考案の第１実施形態に係るテレビジョン受信機のキャビネットは、キャビネットの前面側をカバーするフロントキャビネット１と、背面側をカバーするリアキャビネット（図示せず）で構成される。
【００３１】
図１は、本考案の第１実施形態のテレビジョンキャビネットに於けるフロントキャビネットを裏側から見た背面図である。図１に図示されたフロントキャビネット１は、天板７、２つの側板８、底板９、及び前板１０とを有しており、前板１０にはＣＲＴ（図示せず）の画像表示面が配備される開口部６が形成されている。そして、この開口部６の周辺を囲むようにして、ポスト４や板状片部１１等が支持する枠組みとして形成されており、開口部６の四隅の外側には、ＣＲＴを固定するために前板１０から後方に向かって略水平に延びたＣＲＴ取付け用ボス３が形成されている。また、前板１０に於ける開口部６の下方には、スピーカ設置部１３、ビデオテープ挿入口１４、ＤＶＤ挿入口１５等が設けられている。
【００３２】
[ＣＲＴ取付け用ボス及びその近傍箇所の構造]
図２は、本考案の第１実施形態に係るテレビジョンキャビネットのフロントキャビネット１に於ける、開口部６の左上コーナ部の外側に形成されたＣＲＴ取付け用ボス３、及び、その近傍箇所を拡大図示したものである。
【００３３】
ＣＲＴ取付け用ボス３は、前板１０から後方に向かって略水平に延びるように形成されており、その形状は円筒形である。また、ＣＲＴ取付け用ボス３は、板状片部５によって天板７と側板８とに連結されると共に、板状片部５によって側板８に接するように形成されたポスト４と、天板７に接するように形成されたポスト４とに連結されている。ＣＲＴは、このＣＲＴ取付け用ボス３と、ＣＲＴに固定されたＣＲＴ取付け用金具（図示せず）とがネジ留めされることによって固定される。
【００３４】
前板１０の裏面に於いて、ＣＲＴ取付け用ボス３の根元近傍、及びポスト４の根元近傍には、該ボス３の強度補強用のリブ１２が前板１０の略垂直方向と略水平方向に複数形成されており、両方向に形成された該リブ１２が、一定間隔を空けて夫々交わることによっ
て、略矩形の格子１６が形成されている。また、該リブ１２の夫々の形状は直方体であり、４本のリブ１２が一定間隔を空けて平行に配置され四角形の格子を９つ形成する際の面積が、ＣＲＴ取付け用ボス３の直径を一辺とする正方形の面積と同等の面積となっている。言い換えれば、ＣＲＴ取付け用ボス３の直径は、格子１６を３つ併せた長さに略等しいということである（図３）。
【００３５】
なお、本実施形態においては、ＣＲＴ取付け用ボスと連結するポストは２つであるが、ポストの数を３つ以上備える構造として、フロントキャビネットの前板にＣＲＴ取付け用ボスを保持する強度を高めても良い。
【００３６】
また、本実施形態に於いては、リブ１２によって形成される格子１６の形状を四角形としたが、三角形、六角形等の多角形を採用しても良い。
【００３７】
また、本実施形態に於いては、形状が直方体のリブ１２を複数配置することによって、格子１６を形成しているが、曲線状のリブを皺状に配置することによって、ボスの根元部分及びその近傍の強度を高める構成としてもよい。
【００３８】
[作用効果]
本実施形態によれば、ＣＲＴ取付け用ボス３の根元近傍にリブ１２を格子状に形成しているので、肉厚を単純に厚くした場合と比べて、リブ１２によって形成された格子部分の体積の分だけ小さい状態で、実質の肉厚を厚くすることが可能となり、樹脂形成の際に前板の外観にヒケを発生させることなく、ＣＲＴ取付け用ボスの根元部分及びその近傍の強度を高めることが出来る。
【００３９】
また、ポスト４の根元近傍にもリブ１２を格子状に形成しているので、ポスト４の根元部分及びその近傍に於いても、強度を高めることができ、前板の外観のヒケ発生を防止することが出来る。
【００４０】
また、ＣＲＴ取付け用ボス３が、板状片部５により、天板７と側板８に連結されているので、ＣＲＴ取付け用ボス３の前板１０に保持される強度を高めることが出来る。
【００４１】
また、ＣＲＴ取付け用ボス３が、板状片部５により、２本のポスト４に連結されているので、ＣＲＴ取付け用ボス３の前板１０に保持される強度をさらに高めることが出来る。
【図面の簡単な説明】
【００４２】
【図１】本実施形態によるフロントキャビネットの背面図
【図２】本実施形態によるＣＲＴ取付け用ボス及びその近傍の拡大図
【図３】本実施形態によるＣＲＴ取付け用ボスと格子の大きさの関係を示す図
【符号の説明】
【００４３】
１    テレビジョン受信機のフロントキャビネット
２    ＣＲＴ取付け用ボスとその近傍
３    ＣＲＴ取付け用ボス
４    ポスト
５    板状片部
６    開口部
７    天板
８    側板
９    底板
１０  前板
１１  リブ
１２  リブ
１３  スピーカ設置部
１４  ビデオテープ挿入口
１５  ＤＶＤ挿入口
１６  格子
【図１】
0003106027.tif 000003
【図２】
0003106027.tif 000004
【図３】
0003106027.tif 000005